(57)【要約】【課題】早急に希望条件に合致する小売業者又は広告希望者が検索でき、商品袋の費用を回収できる商品袋の広告希望者検索システムの提供を目的とする。【解決手段】商品袋の広告希望者検索システムは、小売業者情報入力手段と、小売業者情報送信手段とを備えた小売業者端末１と、広告希望者情報入力手段と、広告希望者情報送信手段とを備えた広告希望者端末２と、小売者情報記憶手段と、広告希望者情報記憶手段と、小売者情報記憶手段と広告希望者情報記憶手段とから双方の希望条件が合致する小売御者及び広告掲載希望者を検索する検索手段と、前記検索手段による検索結果を送信する検索結果送信手段とを備えた前記サーバ装置３とがネットワークを介して通信可能に接続されてなるシステムである。【選択図】図１
2008225606.tif 000002
【特許請求の範囲】
【請求項１】
商品を販売する小売業者が保有する小売業者端末と、小売業者から購入した商品を収容する商品袋の所定箇所に広告を掲載することを希望する前記小売業者以外の広告希望者が保有する広告希望者端末と、サーバ装置とが、ネットワークを介して通信可能に接続されてなるシステムであって、前記小売業者端末は、前記小売業者が自己に関する情報及び自己の提供する商品袋に掲載する広告に関する希望条件を入力するための小売業者情報入力手段と、小売業者入力手段から入力された前記小売業者に関する情報及び前記小売業者の広告に関する希望条件をネットワークを介してサーバ装置に送信する小売業者情報送信手段とを備え、前記広告希望者端末は、前記広告希望者が自己に関する情報及び小売業者の商品袋に掲載する広告に関する希望条件を入力するための広告希望者情報入力手段と、広告希望者情報入力手段から入力された前記広告希望者に関する情報及び広告希望者の広告に関する希望条件をネットワークを介してサーバ装置に送信する広告希望者情報送信手段とを備え、前記サーバ装置は、小売業者情報送信手段により送信された小売業者に関する情報及び前記小売業者の広告に関する希望条件を記憶する小売者情報記憶手段と、広告希望者情報送信手段によって送信された広告希望者に関する情報及び前記広告希望者の広告に関する希望条件を記憶する広告希望者情報記憶手段と、小売者情報記憶手段と広告希望者情報記憶手段とから双方の希望条件が合致する小売御者及び広告掲載希望者を検索する検索手段と、前記検索手段による検索結果を送信する検索結果送信手段とを備えたことを特徴とする商品袋の広告希望者検索システム。
【請求項２】
商品袋の所定箇所に小売業者の広告を掲載するとともに、他の一部に広告希望者の希望する広告を掲載することを特徴とする請求項１に記載の商品袋の広告希望者検索システム。
【請求項３】
商品を販売する小売業者が保有する小売業者端末からネットワークを介して送信された小売業者の自己に関する情報及び、小売業者から購入した商品を収容する商品袋の所定箇所に広告を掲載することを前記小売業者以外のものが希望する場合に、自己の提供する商品袋に掲載される自己以外のもの広告に関する希望条件を記憶する小売業者情報記憶手段と、広告希望者端末からネットワークを介して送信された商品袋への広告掲載を希望する小売業者以外の者の自己に関する情報及び広告希望者の広告に関する希望条件を記憶する広告希望者情報記憶手段と、小売者情報記憶手段と広告希望者情報記憶手段に記憶された情報に基づいて双方の希望条件が合致する小売業者及び広告希望者を検索する検索手段と、前記検索手段の検索結果を送信する検索結果送信手段とを備えたことを特徴とする商品袋の広告希望者検索用のサーバ装置。
【請求項４】
商品を販売する小売業者が保有する小売業者端末と、小売業者から購入した商品を収容する商品袋の所定箇所に広告を掲載することを希望する前記小売業者以外の広告希望者が保有する広告希望者端末と、商品袋の製造業者が保有する商品袋製造業者端末と、サーバ装置とが、ネットワークを介して通信可能に接続されてなるシステムであって、前記小売業者端末は、前記小売業者が自己に関する情報及び自己の提供する商品袋に掲載する広告に関する希望条件を入力するための小売業者情報入力手段と、小売業者入力手段から入力された前記小売業者に関する情報及び前記小売業者の広告に関する希望条件をネットワークを介してサーバ装置に送信する小売業者情報送信手段とを備え、前記広告希望者端末は、前記広告希望者が自己に関する情報及び小売業者の商品袋に掲載する広告に関する希望条件を入力するための広告希望者情報入力手段と、広告希望者情報入力手段から入力された前記広告希望者に関する情報及び広告希望者の広告に関する希望条件をネットワークを介してサーバ装置に送信する広告希望者情報送信手段とを備え、前記サーバ装置は、小売業者情報送信手段により送信された小売業者に関する情報及び前記小売業者の広告に関する希望条件を記憶する小売者情報記憶手段と、広告希望者情報送信手段によって送信された広告希望者に関する情報及び前記広告希望者の広告に関する希望条件を記憶する広告希望者情報記憶手段と、小売者情報記憶手段と広告希望者情報記憶手段とから双方の希望条件が合致する小売御者及び広告掲載希望者を検索する検索手段と、前記検索手段による検索結果を送信する検索結果送信手段と、広告希望者の広告の掲載された商品袋の発注を、商品袋製造業者端末に対しネットワークを介して行う発注手段を備えたことを特徴とする商品袋の発注システム。
【発明の詳細な説明】
【技術分野】
【０００１】
本発明は、広告希望者検索システム、広告希望者検索用のサーバ装置及び商品袋の広告発注システムに関するものである。
【背景技術】
【０００２】
従来、小売業者は、商品購入者に対して購入した商品を収容するため合成樹脂製や紙製等の商品袋を無料で提供している。この商品袋には例えば一の側面である正面に小売業者の出所を示すロゴなどが印刷されており、このロゴによって小売業者の広告機能が発揮される。
【０００３】
また、下記特許文献１には、このような広告機能を発揮する広告チラシ作成の発注をネットワークを介して行う技術が開示されている。
【０００４】
【特許文献１】特開２００３−３１６８５９号公報
【発明の開示】
【発明が解決しようとする課題】
【０００５】
上記特許文献１に記載の広告発注システムは、パソコンにより広告チラシの作成を行うものであるので、容易に広告チラシを作成することができるが、広告作成を発注する者が、希望する金額等の条件を呈示して広告チラシの作成業者を選択するといったことは困難である。
【０００６】
また、店舗において提供される商品袋の正面には、小売業者自身のロゴが印刷されてはいるが、背面など他の側面は無地であるのが一般的である。よって、このような商品袋によって広告機能が発揮されるのは正面に印刷された小売業者の広告のみである。この商品袋は一般に顧客に無料で提供されるため、費用の回収が困難である。
【０００７】
本発明は、上記した従来の問題点に鑑みてなされたものであって、早急に希望条件に合致する小売業者又は広告希望者が検索でき、商品袋の費用を回収できる商品袋の広告希望者検索システムの提供を目的とする。
【課題を解決するための手段】
【０００８】
上記目的を達成するために、本発明に係る商品袋の広告希望者検索システムは、商品を販売する小売業者が保有する小売業者側端末装置と、小売業者から購入した商品を収容する商品袋の所定箇所に広告を掲載することを希望する前記小売業者以外の広告希望者が保有する広告希望者側端末装置と、サーバ装置とが、ネットワークを介して通信可能に接続されてなるシステムであって、前記小売業者端末は、前記小売業者が自己に関する情報及び自己の提供する商品袋に掲載する広告に関する希望条件を入力するための小売業者情報入力手段と、小売業者入力手段から入力された前記小売業者に関する情報及び前記小売業者の広告に関する希望条件をネットワークを介してサーバ装置に送信する小売業者情報送信手段とを備え、前記広告希望者端末は、前記広告希望者が自己に関する情報及び小売業者の商品袋に掲載する広告に関する希望条件を入力するための広告希望者情報入力手段と、
広告希望者情報入力手段から入力された前記広告希望者に関する情報及び広告希望者の広告に関する希望条件をネットワークを介してサーバ装置に送信する広告希望者情報送信手段とを備え、前記サーバ装置は、小売業者情報送信手段により送信された小売業者に関する情報及び前記小売業者の広告に関する希望条件を記憶する小売者情報記憶手段と、広告希望者情報送信手段によって送信された広告希望者に関する情報及び前記広告希望者の広告に関する希望条件を記憶する広告希望者情報記憶手段と、小売者情報記憶手段と広告希望者情報記憶手段とから双方の希望条件が合致する小売御者及び広告掲載希望者を検索する検索手段と、前記検索手段による検索結果を送信する検索結果送信手段とを備えた構成にしてある。
【０００９】
また、前記した各構成において、商品袋の所定箇所に小売業者の広告を掲載するとともに、他の一部に広告希望者の希望する広告を掲載するものである。
【００１０】
そして、サーバ装置は、商品を販売する小売業者が保有する小売業者端末からネットワークを介して送信された小売業者の自己に関する情報及び、小売業者から購入した商品を収容する商品袋の所定箇所に広告を掲載することを前記小売業者以外のものが希望する場合に、自己の提供する商品袋に掲載される自己以外のもの広告に関する希望条件を記憶する小売業者情報記憶手段と、広告希望者端末からネットワークを介して送信された商品袋への広告掲載を希望する小売業者以外の者の自己に関する情報及び広告希望者の広告に関する希望条件を記憶する広告希望者情報記憶手段と、小売者情報記憶手段と広告希望者情報記憶手段に基づいて双方の希望条件が合致する小売業者及び広告希望者を検索する検索手段と、前記検索手段の検索結果を送信する検索結果送信手段とを備えたものである。
【００１１】
更に、商品袋の発注システムは、商品を販売する小売業者が保有する小売業者端末と、小売業者から購入した商品を収容する商品袋の所定箇所に広告を掲載することを希望する前記小売業者以外の広告希望者が保有する広告希望者端末と、商品袋の製造業者が保有する商品袋製造業者端末と、サーバ装置とが、ネットワークを介して通信可能に接続されてなるシステムであって、前記小売業者端末は、前記小売業者が自己に関する情報及び自己の提供する商品袋に掲載する広告に関する希望条件を入力するための小売業者情報入力手段と、小売業者入力手段から入力された前記小売業者に関する情報及び前記小売業者の広告に関する希望条件をネットワークを介してサーバ装置に送信する小売業者情報送信手段とを備え、前記広告希望者端末は、前記広告希望者が自己に関する情報及び小売業者の商品袋に掲載する広告に関する希望条件を入力するための広告希望者情報入力手段と、広告希望者情報入力手段から入力された前記広告希望者に関する情報及び広告希望者の広告に関する希望条件をネットワークを介してサーバ装置に送信する広告希望者情報送信手段とを備え、前記サーバ装置は、小売業者情報送信手段により送信された小売業者に関する情報及び前記小売業者の広告に関する希望条件を記憶する小売者情報記憶手段と、広告希望者情報送信手段によって送信された広告希望者に関する情報及び前記広告希望者の広告に関する希望条件を記憶する広告希望者情報記憶手段と、小売者情報記憶手段と広告希望者情報記憶手段とから双方の希望条件が合致する小売御者及び広告掲載希望者を検索する検索手段と、前記検索手段による検索結果を送信する検索結果送信手段と、広告希望者の広告の掲載された商品袋の発注を、商品袋製造業者端末に対しネットワークを介して行う発注手段を備えたものである。
【発明の効果】
【００１２】
本発明に係る商品袋の広告希望者検索システムによれば、商品袋に小売業者以外のものが広告掲載を希望した場合には、小売業者または広告希望者がネットワークを介して、商品袋に広告掲載を希望する小売業者又は広告希望者を検索することができる。これにより、商品袋に要する費用を回収できる。
【００１３】
また、サーバ装置が広告希望者の広告の掲載された商品袋の発注を、商品袋製造業者端末に対しネットワークを介して行う発注手段を備えた場合には、容易に商品袋の発注を行うことができる。
【発明を実施するための最良の形態】
【００１４】
本発明の最良の実施形態を図面に基づいて説明する。ここに、図１は本発明の一実施形態に係る商品袋の広告希望者検索システムを示すブロック図である。同図において、本実施形態に係る商品袋の広告発注システムは、小売業者によって使用される小売業者端末１、広告希望者によって使用される広告希望者端末２と、小売業者と広告希望者の仲介を行う事業者によって管理されるサーバ装置３とを備える。
【００１５】
図１においては、小売業者１及び広告希望者端末２を省略し、それぞれ一台しか示していないが、複数存在しているものとする。
【００１６】
小売業者端末１、広告希望者端末２及びサーバ装置３は、ネットワーク４を介して接続される。ネットワーク４には、インターネット等のオープンネットワーク、ＬＡＮ等のクローズドネットワーク、それらの組み合わせのイントラネット等の如何なるものであってもよく、有線、無線の別を問わない。
【００１７】
小売業者とは、小売業を営む団体又は個人であり、例えばスーパーや百貨店等の大規模小売店、八百屋や肉屋、魚屋等中小規模の小売店が含まれる。
【００１８】
小売業者は、顧客に対して、購入した商品を収容するための合成樹脂製や紙製等の商品袋を提供している。通常、この商品袋には、小売業者の出所を示すロゴ、文字、図形、キャラクター等が印刷されているか、或いは、薬局などでは、店内にて販売されている医薬品など商品の広告や、商品の製造元又は販売元である製薬会社の広告が印刷されている。
【００１９】
しかし、小売業者自身の広告及び店内での販売商品に関連する広告以外の、他の団体や個人に関する広告等が印刷されるといったことはない。
【００２０】
そこで、小売業者及び販売商品の関係者等以外の団体又は個人が、商品袋への広告掲載を希望した場合には、商品袋を提供する小売業者をネットワークを通じて検索し、商品袋に小売業者等以外の団体又は個人が希望した広告を掲載するものとする。そして、この商品袋への広告掲載に対する対価として、広告の印刷代金、商品袋製造代金を含めた広告料を支払うものとする。
【００２１】
また、逆に、小売業者が、自己以外の団体又は個人の商品袋への広告掲載を希望した場合には、商品袋への広告掲載を希望する団体又は個人をネットワークを通じて検索し、商品袋に小売業者等以外の団体又は個人が希望した広告を掲載するものとする。そして、小売業者は、この商品袋への広告希望者の広告掲載に対する対価として、広告の印刷代金、商品袋製造代金を含めた広告料を受領するものとする。
【００２２】
図１において、小売業者端末１は、例えば、パソコン、ＰＤＡ（Personal Digital Assistant）や携帯電話機等の携帯型情報処理装置等である。小売業者端末１は、制御部１１、記憶部１２、操作部１３、表示部１４、送受信部１５を備えている。
【００２３】
制御部１１は、記憶部１２が記憶するプログラムに従って処理を行う。また、制御部１１は、送受信部１５、基地局（図示せず）を介することによって、ネットワーク４に接続されたサーバ装置３と情報を送受信する。
【００２４】
記憶部１２は、小売業者情報入力手段、小売業者情報送信手段を備えたプログラムを記憶する。
【００２５】
小売者情報入力手段は、小売業者自身の名称、本社所在地、店舗所在地又は連絡先等の自己に関する情報が入力される手段である。また、商品袋への小売業者自身以外の広告の掲載を希望した場合に、一の商品袋中で広告希望者の広告掲載に使用する位置、当該部分の大きさ、広告掲載を行った商品袋の製造枚数、広告掲載を行った商品袋の顧客への提供地域、紙製又は合成樹脂製等の商品袋の材質、印刷に使用する色数など、及び、広告料の希望条件を入力する。
【００２６】
図２に示すように、希望条件のうち、一の商品袋中で広告希望者の広告掲載に使用する位置に関しては、商品袋に商品を収容した状態で、正面Ｆとして視認可能な面と、背面Ｂとに広告掲載するものとしてもよい。図３（ａ）に示すように、正面Ｆに自己の広告を掲載し、背面Ｂに広告希望者の広告を掲載するように指定してもよい。また、（ｂ）に示すように、正面Ｆに広告希望者Ａを、背面Ｂに広告希望者Ｂの広告を掲載することで、小売業者自身の広告を全く掲載することなく、一又は複数の広告希望者の広告を掲載するよう指定してもよい。更に、同図（Ｃ）に示すように、正面Ｆ及び背面Ｂともに複数の異なる広告希望者の広告を掲載するよう指定してもよい。
【００２７】
また、商品袋の右側面、左側面にも広告掲載可能としてもよい。
【００２８】
この場合正面Ｆ又は背面Ｂへの広告掲載は、右側面又は左側面へ広告掲載する場合に比較して広告料を高く指定するなどとしてもよく、広告の占有面積が大きい場合には小さい部分に比較して広告料を高くするなどとしてもよい。更に、広告を掲載する商品袋の枚数、提供店舗数、提供期間等に応じて、広告料に差を設けてもよい。
【００２９】
小売業者情報送信手段１１は、小売業者入力手段により入力された自己に関する情報及び広告に関する希望条件をネットワーク４を介してサーバ装置３に送信する。
【００３０】
更に、記憶部１２は、付加的な機能として電子メールアドレス、送受信した電子メール等を記憶する機能を備えていてもよい。
【００３１】
操作部１３は、キーボード、マウス等の入力装置である。操作部１３は、テンキー、決定キーおよびスクロールキー等の組み合わせであってもよい。操作部１３を介して、情報が入力されたり、画面のスクロール等の操作が行われる。
【００３２】
表示部１４は、液晶表示装置等の表示装置であり、画像やテキスト等を表示する。具体的には、例えば、サーバ装置３から受信したＷｅｂページ等を表示する。
【００３３】
送受信部１５は、ネットワーク４に接続される基地局（図示せず）との間で信号を送受信するインタフェースである。
【００３４】
なお、小売業者端末１が携帯電話機である場合には、小売業者端末１は、音声信号処理を行う送受話部と、送受話部に音声信号を出力するマイクロホンと、送受話部が出力した音声信号に基づいて受話音声を出力するスピーカと、着信報知用スピーカも備える。
【００３５】
広告希望者は、小売業者が商品を購入した顧客に対して提供する商品袋に広告掲載を希望する団体又は個人であって、小売業者以外のものである。広告希望者は、薬局などで提供される商品袋のように、店頭にて販売されている商品の製造メーカーといったように、小売業者と取引のあるメーカーなどであってもよいが、何ら取引のない者であっても構わない。
【００３６】
広告希望者端末２は、例えば、パソコン、ＰＤＡ（Personal Digital Assistant）や携帯電話機等の携帯型情報処理装置等である。広告希望者端末２は、制御部２１、記憶部２２、操作部２３、表示部２４、送受信部２５を備えている。
【００３７】
制御部２１は、記憶部２２が記憶するプログラムに従って処理を行う。また、制御部２１は、送受信部２５、基地局（図示せず）を介することによって、ネットワーク４に接続されたサーバ装置３と情報を送受信する。
【００３８】
記憶部１２は、広告希望者情報入力手段、広告希望者情報送信手段を備えたプログラムを記憶する。
【００３９】
広告希望者情報入力手段は、広告希望者自身の名称、本社、事務所又は住所などの所在地、連絡先等の自己に関する情報が入力される手段である。。また一の商品袋中で広告希望者の広告掲載に使用する位置、当該部分の大きさ、広告掲載を行う商品袋の製造枚数、広告掲載を行う商品袋の顧客への提供地域、紙製又は合成樹脂製等の商品袋の材質、印刷に使用する色数など、及び、広告料の希望条件とが入力される。
【００４０】
一の商品袋中で広告希望者の広告掲載に使用する位置、広告面積の大きさ、恐れに伴う広告料の差ついては、小売業者の希望する条件と同様、自由に指定可能である。
【００４１】
広告希望者情報送信手段は、広告希望者入力手段により入力された自己に関する情報及び広告に関する希望条件をネットワーク４を介してサーバ装置３に送信する。
【００４２】
記憶部２２、操作部２３、表示部２４及び送受信部２５は、上記した小売業者端末１の対応する構成と同様である。また、広告希望者端末１が携帯電話機である場合に関しても小売業者端末１と同様の構成を有する。
【００４３】
サーバ装置３は、例えばワークステーション等の情報処理装置である。サーバ装置３は、ネットワーク４を介して複数の小売業者端末１及び広告希望者端末２と接続可能となっており、小売者に関する情報、広告希望者に関する情報を受け付け、データベースに格納する。そして、小売業者端末１又は広告希望者端末２からのアクセスに応じて、必要なデータを提供する。これによりサーバ装置３は小売業者に関する情報及び広告希望者に関する情報の管理を容易に行うことが可能となる。
【００４４】
サーバ装置３は、送受信部３１、制御部３２、記憶部３３、小売業者情報データベース３４、広告希望者情報データベース３５を備えている。
【００４５】
制御部３２は、記憶部３３が記憶する発注プログラムに従って処理を行う。例えば、制御部３２は、小売業者端末１によって希望条件を指定されるとその希望条件に合致する広告希望者を抽出する検索処理、その検索結果を小売業者に送信する処理、契約成立時は商品袋製造者に対し商品袋の発注情報を送信する処理等を、記憶部３３に記憶したプログラムに従って実行する。
【００４６】
記憶部３３は、商品を販売する小売業者が保有する小売業者端末１からネットワーク４を介して送信された小売業者の自己に関する情報及び、小売業者から購入した商品を収容する商品袋の所定箇所に広告を掲載することを前記小売業者以外のものが希望する場合に、自己の提供する商品袋に掲載される自己以外のもの広告に関する希望条件を小売業者情報データベース３４に記憶する小売業者情報記憶手段と、広告希望者端末２からネットワーク４を介して送信された商品袋への広告掲載を希望する小売業者以外の者の自己に関する情報及び広告希望者の広告に関する希望条件を広告希望者情報データベース３５に記憶する広告希望者情報記憶手段と、小売者情報記憶手段と広告希望者情報記憶手段に記憶された情報に基づいて双方の希望条件が合致する小売業者及び広告希望者を検索する検索手段と、検索手段の検索結果を送信する検索結果送信手段とを備えたプログラムを記憶する。
【００４７】
また、記憶部３３は、広告希望者の広告の掲載された商品袋の発注を、商品袋製造業者端末に対しネットワークを介して行う発注手段を備えたプログラムを記憶する。
【００４８】
小売業者情報受信手段は小売業者端末１よりネットワーク４を介して送信された小売業者の自己に関する情報及び広告に関する希望条件を受信する手段である。
【００４９】
小売者情報記憶手段は、小売業者情報受信手段により受信した小売業者の自己に関する情報及び広告に関する希望条件を小売業者情報データベース３４に記憶する。
【００５０】
広告希望者情報受信手段は広告希望者端末２より送信された広告掲載希望者の自己に関する情報及び広告に関する希望条件を受信する手段である。
【００５１】
広告希望者情報記憶手段は、広告希望者情報受信手段により受信された広告希望者に自己に関する情報および広告に関する情報を、広告希望者情報データベース３５に記憶する。
【００５２】
検索手段は、小売業者情報データベース３４と広告希望者情報データベース３５とに記憶された情報に基づいて双方の希望条件が合致する小売業者及び広告掲載希望者を検索する。
【００５３】
検索結果送信手段は、検索手段により検索した結果を、検索実行を要求した小売業者端末１又は広告希望者端末２に送信する。
【００５４】
また、記憶部３３は、小売業者端末１又は広告希望者端末２に提供する各種ウェブページ画面の情報を記憶する。ウェブページ画面の情報は、例えば、ＨＴＭＬ（Hypertext Markup Language ）等の言語で記述されるが、ＨＴＭＬ以外の言語で記述されてもよい。
【００５５】
送受信部３１は、ネットワーク４を介して小売業者端末１や広告希望者端末２と情報を送受信する。
【００５６】
小売業者情報データベース３４は、各小売業者を識別する小売業者識別情報（小売業者ＩＤ）に対応させて、各小売業者に関する情報を記憶する。小売業者情報データベース３４は、小売業者ＩＤに対応させて、小売業者に関する情報として、小売業者端末ＩＤ、小売業者の名称、本社所在地、店舗所在地又は連絡先等の情報を記憶するとともに、一の商品袋中で広告希望者の広告掲載に使用する位置、当外部分の大きさ、広告掲載を行った商品袋の製造枚数、広告掲載を行った商品袋の顧客への提供地域、紙製又は合成樹脂製などの商品袋の材質、印刷に使用する色数、広告料などの希望条件を記憶する。
【００５７】
後述するように、小売業者はサーバ装置３への登録手続を行う。サーバ装置３の制御部３２は、小売業者の登録時に小売業者に小売業者ＩＤを割り当てる。そして、小売業者端末１から送信される名称等の各情報を小売業者ＩＤに対応させて、小売業者情報データベース３４に記憶させる。
【００５８】
尚、小売業者ＩＤは、例えば、小売業者が登録を行ったときに、制御部３２が割り当てればよい。制御部１２は、小売業者ＩＤを割り当てると、その小売業者ＩＤを、登録を行った小売業者の小売業者端末１に送信する。小売業者端末１は、後述するように、小売業者ＩＤと対応させて、その小売業者に関する情報、その小売業者の小売業者端末１のアドレスを記憶する。そして、小売業者の自己に関する情報または希望条件が追加又は変更された場合には、小売業者端末１は、小売業者ＩＤともに、その小売業者の自己に関する情報または希望条件をサーバ装置３に送信し、その小売業者ＩＤに対応する情報の更新を促す。
【００５９】
広告希望者データベース３５は、各広告希望者を識別する広告希望者識別情報（広告希望者ＩＤ）に対応させて、各広告希望者に関する情報を記憶する。上記した小売業者データベースと同様に、広告希望者ＩＤに対応させた、広告希望者に関する情報としての広告希望者端末ＩＤ、広告希望者自身の名称、本社、事務所又は住所などの所在地、連絡先等の自己に関する情報、及び、一の商品袋中で広告希望者の広告掲載に使用する位置、当該部分の大きさ、広告掲載を行う商品袋の製造枚数、広告掲載を行う商品袋の顧客への提供地域、紙製又は合成樹脂製等の商品袋の材質、印刷に使用する色数、広告料等の広告に関する希望条件を記憶する。
【００６０】
また同様に、広告希望者はサーバ装置３への登録手続を行う。サーバ装置３の制御部３２は、広告希望者の登録時に広告希望者に広告希望者ＩＤを割り当てる。そして、広告希望者端末２から送信される名称等の各情報を広告希望者ＩＤに対応させて、広告希望者情報データベース３４に記憶させる。
【００６１】
次に、小売業者登録時の動作について説明する。図４は、小売業者登録時の処理経過の例を示すフローチャートである。小売業者登録の際、小売業者端末１の制御部１１は、小売業者の操作に応じて、ネットワーク４を介してサーバ装置３に小売業者登録画面を要求する（ステップＳ１）。サーバ装置３の制御部３２は、小売業者端末１からの要求に応じて、小売業者端末１に小売業者登録画面の情報を送信する（ステップＳ２）。小売業者端末１の制御部１１は、小売業者登録画面の情報を受信すると、表示部１４に小売業者登録画面を表示する（ステップＳ３）。小売業者登録画面は、例えば、小売業者端末の識別情報である小売業者端末ＩＤ、小売業者の名称、本社所在地、店舗所在地、連絡先等の入力欄を有している。制御部１１は、小売業者登録画面上の各入力欄に小売業者端末ＩＤや小売業者の名称等の各情報を入力させる。ここでは、小売業者が小売業者端末ＩＤを定めているものとする。
【００６２】
続いて、制御部１１は、操作部１３の操作に応じて、小売業者登録画面上に入力された小売業者端末ＩＤ、名称等の情報をサーバ装置３に送信する（ステップＳ４）。サーバ装置３の制御部３２は、小売業者端末１から、この情報を受信する（ステップＳ５）。
サーバ装置４の制御部３２は、小売業者の名称等の各情報を受信すると、小売業者に対して小売業者ＩＤを割り当てる（ステップＳ６）。このとき、制御部３２は、既存の小売業者ＩＤと重複しないように新たな小売業者ＩＤを割り当てる。続いて、制御部３２は、新たに割り当てた小売業者ＩＤと、ステップＳ５で受信した小売業者端末ＩＤ、名称等の情報とを対応させて小売業者情報データベース３４に記憶させる（ステップＳ７）。
【００６３】
以上のようにして小売業者に登録が完了することにより、小売業者は、自己の希望条件に合致する広告希望者をの募集ができるようになる。
【００６４】
広告希望者登録時の動作について以下に説明する、図５は、広告希望者登録時の処理経過の例を示すフローチャートである。広告希望者登録は上記小売業者登録と同様に、広告希望者端末２の制御部２１が、ネットワーク４を介してサーバ装置３に広告希望者登録画面を要求し（ステップＳ１１）、サーバ装置３の制御部３２が、この要求に応じて、広告希望者端末２に広告希望者登録画面の情報を送信する（ステップＳ１２）。広告希望者端末２の制御部２１は、広告希望者登録画面の情報を受信し、表示部２４に表示する（ステップＳ１３）。広告希望者登録画面は、例えば、広告希望者端末の識別情報である広告希望者端末ＩＤ等の入力欄を有している。制御部２１は、広告希望者登録画面上の各入力欄に広告希望者端末ＩＤや広告希望者の名称等の各情報を入力させる。
【００６５】
そして、制御部２１は、広告希望者登録画面上に入力された広告希望者端末ＩＤ、名称等の情報をサーバ装置３に送信し（ステップＳ１４）、サーバ装置３の制御部３２は、この情報を受信する（ステップＳ１５）。制御部３２は、広告希望者の広告希望者端末ＩＤ等の各情報の受信後、広告希望者に対して、既存の広告希望者ＩＤと重複しないように広告希望者ＩＤを割り当てる（ステップＳ１６）。そして、制御部３２は、新たに割り当てた広告希望者ＩＤと、ステップＳ２５で受信した広告希望者端末ＩＤ、名称等の情報とを対応させて広告希望者情報データベース３５に記憶させる（ステップＳ１７）。
【００６６】
以上のようにして広告希望者登録が完了することにより、広告希望者は、広告希望者の募集ができるようになる。
【００６７】
次に、小売業者端末１から希望条件を満たす広告希望者を検索する際の動作について説明する。図６は、小売業者端末１から検索要求がなされた際の処理経過の例を示すフローチャートである。まず、小売業者端末１の制御部１１は、操作部１３の操作に応じて、ネットワーク４を介してサーバ装置３に検索実行画面を要求する（ステップＳ３１）。サーバ装置３の制御部３２は、小売業者端末１からの要求に応じて、小売業者端末１に検索実行画面の情報を送信する（ステップＳ３２）。
【００６８】
小売業者端末１の送受信部１５が検索実行画面の情報を受信すると、制御部１１は、検索実行画面を表示部１４に表示する（ステップＳ３３）。操作部１３の操作により、検索実行画面の小売業者ＩＤ入力欄に小売業者登録時に通知された小売業者ＩＤが操作部１３により入力された後（ステップＳ３４）、検索実行ボタンが操作されると、制御部１１は、検索実行の要求をサーバ装置３に送信する（ステップＳ３５）。
【００６９】
サーバ装置３の送受信部３１が小売業者端末１からの検索実行の要求を受信すると（ステップＳ３６）、制御部３２は小売業者データベース３４に記憶された小売業者ＩＤ、希望条件情報に基づいて、検索を開始する。
【００７０】
まず、サーバ装置３の制御部３２は、検索実行要求を行った小売業者端末１の小売業者ＩＤに基づいて、小売業者データベース３４より検索実行要求を行った小売業者の希望条件を抽出する（ステップＳ３７）。次に、制御部３２は、小売業者データベース３４から抽出した検索実行要求を行った小売業者の希望条件に関する情報と、広告希望者データベース３５が記憶する情報とに基づいて、検索実行要求を行った小売業者の希望条件に合致する広告希望者を特定する（ステップＳ３８）。そして、制御部３２は、送受信部３１により検索実行要求を行った小売業者端末１に対して、検索結果を送信する（ステップＳ３９）。
【００７１】
小売業者端末１の送受信部１５がサーバ装置３から、検索結果を受信し（ステップＳ４０）、制御部１１は、検索結果である希望条件の合致する一または複数の広告希望者の情報、或いは、希望条件の合致する広告希望者が存在しなかった場合には、希望条件の合致する広告希望者が存在しなかったことを表示部１４に表示する。
【００７２】
この検索結果の表示画面には、希望条件の合致する広告希望者が存在した場合に当該広告希望者の情報を表示するとともに、この特定された広告希望者との契約を希望するどうかの回答の入力欄が表示されている。小売業者端末２の操作部１３の操作により、この広告希望者との契約を希望するかどうかの回答入力欄に入力があり、送信ボタンが操作されると、制御部１１は契約希望するかどうかの回答の情報をサーバ装置３に送信する（ステップＳ４１）。
【００７３】
サーバ装置３の送受信部３１が、小売業者端末１からの契約希望するかどうかの回答の情報を受信し、回答の情報が契約希望するないようであった場合には、制御部３２は小売業者情報データベース３４から、検索実行要求を行った小売業者に関する情報を抽出し、希望条件の合致した広告希望者端末２に送信する（ステップＳ４２）。
【００７４】
広告希望者端末２の送受信部２５は、サーバ装置３からの希望条件の合致する小売業者に関する情報を受信し、制御部２１が受信した希望条件の合致する小売業者に関する情報を表示部２４に表示する。この希望条件の合致する小売業者に関する情報の表示画面には、当該小売業者との契約を希望するどうかの回答の入力欄、及び、契約希望する場合の広告デザインの入力欄が表示されている。
【００７５】
広告希望者端末２の操作部２３の操作により、この小売業者との契約を希望するかどうかの回答入力欄、または広告デザイン入力欄に入力があり、送信ボタンが操作されると、制御部２１は契約希望するかどうかの回答、及び／又は広告デザインの情報をサーバ装置３に送信する（ステップＳ４３）。
【００７６】
サーバ装置３の送受信部３１は広告希望者端末２からの契約を希望するかどうかの回答及び／又は広告デザインの情報を受信すると、制御部３２は、契約を希望するかどうかの回答及び／又は広告デザインの情報の有無を確認する（ステップＳ４４）。広告デザインの情報が広告希望者端末２から送信されていなかった場合には契約を希望するかどうかの回答内容にかかわらず終了し、広告デザインの送信があった場合には、契約を希望するとの回答内容であった場合に限り広告デザインを小売業者端末１へ送受信部３１より送信する（ステップＳ４５）。
【００７７】
小売業者端末２は、送受信部１５がサーバ装置３からの広告デザインに関する情報を受信し、制御部１１が広告デザインに関する情報を表示部１４に表示する。小売業者端末１の操作部１３が広告デザインを了承する操作を行い、制御部１１が、小売業者端末１の広告デザインを了承する操作に関する情報をサーバ装置３に送信すると（ステップＳ４６）、サーバ装置３の送受信部３１は小売業者端末１の広告デザインを了承する操作に関する情報を受信し、制御部３２は小売業者端末１からの広告デザインを了承する操作に関する情報を広告希望者端末２に送受信部３１により送信する。
【００７８】
また、図示しないが、制御部３２は、広告デザインに関する情報、小売業者及び広告希望者がともに希望し合意に達した商品袋の製造枚数、商品袋の材質、広告デザインに用いる色数等の商品袋に関する情報、及び、納品先である小売業者に関する情報等の発注に関する情報を送受信部３１により、商品袋製造業者に送信する。また、制御部３２は、商品袋に掲載する広告の印刷代金を含めた商品袋製造業者に支払う商品袋製造代金及び広告料等の契約により発生する費用の管理を行う。
【００７９】
小売業者端末１の制御部１１が、広告デザインが了承できない操作に関する情報をサーバ装置３に送信した場合には、するのみ合意できない場合には、サーバ装置３の送受信部３１は小売業者端末１の広告デザインを了承する操作に関する情報を受信し、制御部３２は広告希望者端末２に対し、広告デザインが了承できない操作に関する情報を送信し、広告希望者端末２からの広告デザインの再提出を促す。
【００８０】
以上は、小売業者端末１の制御部１１が検索実行要求をサーバ装置３に対し行う場合について記載したが、広告希望者端末２の制御部２１がサーバ装置３に対し検索実行要求を行う場合においても、同様な処理がなされる。
【００８１】
以上より、本実施形態に係る商品袋の広告希望者検索システムは、小売者情報記憶手段と広告希望者情報記憶手段とに記憶された情報に基づいて、小売業者及び広告希望者双方の希望条件が合致する小売業者及び広告掲載希望者を検索する検索手段を備えているので、容易に希望条件の合致した小売業者または広告希望者を見つけることができ、広告に関する契約に至る作業を自動化できる。
【００８２】
広告希望者は、自己の情報及び広告に関する希望条件を入力することで、希望条件に合致する小売業者を検索することが可能となる。よって、商品袋が小売業者において顧客に提供された後、処分されるまでの期間中継続的に、商品袋に掲載された広告希望者の広告が多くの人の目に触れることとなり、広告機能を発揮する。特に、商品袋は、丈夫であり複数回使用可能なため非常に高い広告機能の発揮が見込まれる。また、最終的にごみの収容袋として利用され、ごみ収集後の焼却処分時までの間、多くの人目に触れることができ、多大な広告機能を発揮する。
【００８３】
また、小売業者は、広告希望者が商品袋の製造に要する費用及び広告の印刷費用を含む広告料を小売業者に支払うので、顧客に無料で提供されることの多かった商品袋に対し、広告料を受け取ることが可能となる。よって、商品袋の製造に要する費用の回収が可能となり、更に、新たな利益源ともなり得る。
【００８４】
尚、上記の実施形態では、商品袋製造業者への発注及びこれに伴う予算管理をネットワークを介して行ったが、本発明の広告発注システムはそれに限定されるものでなく、商品袋製造業者への発注及びこれに伴う予算管理を人手により行ってもよい。
【図面の簡単な説明】
【００８５】
【図１】本発明の一実施形態に係る商品袋の広告希望者検索システムを示すブロック図である。
【図２】商品袋の斜視図である。
【図３】前記商品袋の広告希望者検索システムにおける商品袋の正面図及び背面図である。
【図４】前記商品袋の広告希望者検索システムにおける小売業者登録時のフローチャートである。
【図５】前記商品袋の広告希望者検索システムにおける広告希望者登録時のフローチャートである。
【図６】前記商品袋の広告希望者検索システムにおける検索実行時のフローチャートである。
【符号の説明】
【００８６】
１    小売業者端末
２    広告希望者端末
３    サーバ装置
４    ネットワーク
【図１】
2008225606.tif 000003
【図２】
2008225606.tif 000004
【図３】
2008225606.tif 000005
【図４】
2008225606.tif 000006
【図５】
2008225606.tif 000007
【図６】
2008225606.tif 000008